(57)【要約】【課題】  透明樹脂基板にパチンコ釘を、基板を白濁させずに打ち込む。【解決手段】  透明なパチンコパネル用基板２に、所定の配列に従って釘を打ち付けたパチンコパネルにおいて、釘は、ストレート軸部11の一端に頭部、他端には基板２に打ち込まれて隠れている凹凸状の打込み部13を突設し、該打込み部は、夫々環状を呈する凸条14と凹条15とによって構成される。【選択図】  図１
0003116027.tif 000002
【実用新案登録請求の範囲】
【請求項１】
合成樹脂製の、或いは合成樹脂を主体とするパチンコパネル用基板(２)に打設するための釘であって、ストレート軸部(11)の一端に頭部(12)、他端に凹凸状の打込み部(13)を突設しており、該打込み部(13)は、ストレート軸部(11)の延長上にて隣りどうしに並んだ円形無端状の凸条(14)と無端状の凹条(15)とによって形成され、凸条(14)の外径はストレート軸部(11)と同径であり、該打込み部(13)の長さは基板(２)の厚みよりも少し短いパチンコパネル用の釘。
【請求項２】
合成樹脂製の、或いは合成樹脂を主体とするパチンコパネル用基板(２)に打設するための釘であって、ストレート軸部(11)の一端に頭部(12)、他端に凹凸状の打込み部(13)を突設しており、該打込み部(13)は、ストレート軸部(11)の延長上にて隣りどうしに並んだ円形無端状の凸条(14)と無端状の凹条(15)及び先端の尖り部(16)とによって形成され、凸条(14)の外径はストレート軸部(11)と同径であり、該打込み部(13)の長さは基板(２)の厚みよりも少し短いパチンコパネル用の釘。
【請求項３】
各凸条(14)の打込み部(13)先端側の面(10)は、該先端側へ縮径する様なテーパ面に形成され、頭部側の面(19)は、ストレート軸部(11)と直交する面にほぼ沿っている請求項１又は２に記載のパチンコパネル用の釘。
【請求項４】
請求項１乃至３の何れかに記載のパチンコパネル用釘(１)を、合成樹脂製の、或いは合成樹脂を主体とするパチンコパネル用基板(２)に、所定の配列に従って打設したパチンコパネル。
【請求項５】
基板(２)は透明体である請求項４のパチンコパネル。
【請求項６】
請求項５に記載のパチンコパネル(３)の背面に、液晶画像表示装置等の薄型画像表示装置(５)のディスプレイ(51)を配備しているパチンコ台。
【考案の詳細な説明】
【技術分野】
【０００１】
本考案は、パチンコ釘、該釘を打ち込んだパチンコパネル及び該パチンコパネルを用いたパチンコ台に関する。
【背景技術】
【０００２】
従来のパチンコパネルは、木製薄板を積層した合板である基板に、所定の配列に従って、パチンコ釘を打設して形成されている。
基板は、材料の木目の違い、節の位置の違い等によって均質ではないから、基板も当然に均質さを欠く。
従って、釘を基板に打ち込む際に、微妙に位置ズレしたり、釘が傾く問題があった。
【０００３】
この改善策として、出願人は、合成樹脂を主体とする均質基板(特許文献１)に着目した。
図４に示す如く、この樹脂基板(2a)に、釘打設用の下穴(21)を所定の配列に従って開設し、図５に示す如く、該下孔(21)に釘(1a)を打設してパチンコパネル(3a)を製作するのである。
アクリル樹脂等の透明度の高い樹脂にて透明基板を形成し、該基板の裏に、大画面の液晶画像表示装置を配置して、遊技者に対する視覚効果を飛躍的に高めて、カラフルでバラエティに富んだパチンコゲームを提供できる効果も得られる。
【０００４】
【特許文献１】特開２００５−１４４６７号公報
【考案の開示】
【考案が解決しようとする課題】
【０００５】
釘(1a)先端の打込み部(13a)には、複数の螺旋凸条(17a)及び隣り合う螺旋凸条(17a)(17a)間に螺旋凹条(18a)が形成されている。
前記透明合成樹脂基板に、釘(1a)を打ち込むと、基板(2a)の釘打込み部の周辺が白濁して、商品価値を低下させる問題のあることがわかった。
基板(2a)の白濁は、基板背面の液晶画像表示装置の画面を見にくくする。
上記基板の白濁は、釘先端部の螺旋凸条が基板に食い込む際に、螺旋凸条に隣り合う螺旋凹条も樹脂に食い込む様にして捻れながら樹脂の肉厚内を前進するため、打込み抵抗が大きく、摩擦によって樹脂が溶融して結晶化するために生じる。
【０００６】
又、上記釘(1a)の螺旋凸条(17a)の外径は、該螺旋凸条を転造成形するために、釘のストレート軸部(11a)の太さよりも少し大きくなっている。
このため、釘(1a)を基板(２)に打ち込む際に、螺旋凸条(17a)に続いて、ストレート軸部(11a)の一部が基板(2a)に侵入した状態では、螺旋凸条(17a)によって削られた孔壁とストレート軸部(11a)の外側との間に環状の隙間(22)が生じる。この隙間(22)の幅は然程大きくはないが、基板(2a)の正面に多数本の釘(1a)が打設され、各釘(1a)の位置に環状隙間(22)が存在することになるため、環状隙間(22)が目立って美観を損う。然も、この環状隙間(22)によって、パチンコ玉が釘(1a)に衝突した際の、釘の振動幅のバラつきが大きくなり、正確なパチンコ玉の反発データは得難い。これは、パチンコ遊戯機の新機種の開発を進める上で障害となる。
【０００７】
釘(1a)の基板(2a)に埋設された部分の内、ストレート軸部(11a)は、基板(2a)に対して利いておらず、螺旋凸条(17a)が利いているだけであり、釘(1a)に対してパチンコ玉が繰り返し衝突することにより緩み易い。又、釘は自動釘打設装置のホルダーにて、ストレート軸部(11a)と螺旋凸条(17a)に跨がった部分を掴んで、釘打ちが行なわれるが、螺旋凸条(17a)の外径はストレート軸部(11a)の径より大であり、実質的には螺旋凸条(17a)を部分的に掴むことになり、パチンコ釘を安定して支持できず、釘が斜めに打ち込まれて不良品を排出する問題がある。
【０００８】
本考案は、上記問題を解決できるパチンコ用釘、該釘を基板に打ち付けたパチンコパネル及び該パチンコパネルを用いたパチンコ台を明らかにするものである。
【課題を解決するための手段】
【０００９】
請求項１の釘(１)は、合成樹脂製の、或いは合成樹脂を主体とするパチンコパネル用基板(２)に打ち付けるための釘(１)であって、ストレート軸部(11)の一端に頭部(12)、他端に凹凸状の打込み部(13)を突設し、該打込み部(13)は、軸部を無端状に一周する円形の凸条(14)と、隣り合う凸条(14)(14)間の凹条(15)とによって構成され、各凸条(14)の外径はストレート軸部(11)と同径であり、該打込み部(13)の長さは基板(２)の厚みよりも少し短い。
【００１０】
請求項２の釘(１)は、合成樹脂製の、或いは合成樹脂を主体とするパチンコパネル用基板(２)に打ち付けるための釘(１)であって、ストレート軸部(11)の一端に頭部(12)、他端に凹凸状の打込み部(13)を突設し、該打込み部(13)は、軸部(11)を無端状に一周する円形の凸条(14)と、隣り合う凸条(14)(14)間の凹条(15)及び先端の尖り部(16)とによって構成され、各凸条(14)の外径はストレート軸部(11)と同径であり、該打込み部(13)の長さは基板(２)の厚みよりも少し短い。
【００１１】
請求項３は、請求項１又は２の釘(１)において、各凸条(14)の打込み部(13)先端側の面(10)は、該先端側へ縮径する様なテーパ面に形成され、頭部側の面(19)は、ストレート軸部(11)と直交する面にほぼ沿っている。
【００１２】
請求項４のパチンコパネル(３)は、請求項１乃至３の何れかに記載の釘(１)を、合成樹脂製の、或いは合成樹脂を主体とするパチンコパネル用基板(２)に、所定の配列に従って打設して形成されている。
【００１３】
請求項５は、請求項４のパチンコパネル(３)において、基板(２)は透明体である。
【００１４】
請求項６のパチンコ台は、請求項５のパチンコパネル(３)の背面に、液晶画像表示装置等の薄型画像表示装置(５)を配備している。
【考案の効果】
【００１５】
請求項１のパチンコ釘(１)は、透明基板(２)に釘(１)を打設した際に、該基板(２)の釘打込み部の周辺が白濁することを抑えることができた。この理由は、本考案の釘(１)は、環状の凸条(14)と凹条(15)が釘(１)の軸方向に並んでいるから、凸条(14)に続いて凹条(15)が基板(２)の肉厚に侵入するとき、凹条(15)は基板(２)に接しないので、釘(１)の打込み部(13)と基板(２)の摩擦抵抗が軽減され、発熱量が小さく、樹脂の溶融が抑えられるからと考えられる。
尚、釘(１)の基板(２)の打込みは瞬時になされ、打ち込んだ後は、基板(２)の肉厚は、釘の環状凹部(15)に食い込む様に原形に戻ろうとするため、釘(１)を強固に保持できる。
【００１６】
又、打込み部(13)の凸条(14)の外径はストレート軸部(11)と同径であるから、釘(１)を基板(２)に打設した際、釘(１)の凸条(14)の外径がストレート軸部(11)の外径と同じであるから、基板(２)にストレート軸部(11)の一部が打ち込まれても、その軸部(11)と基板(２)との間に隙間は生じない。従って、基板(２)の釘打ち面の美観は保たれる。然も、釘(１)の打込み部(13)の外周に隙間が生じていないため、パチンコ玉が釘(１)に衝突した際の、釘(１)の振動のバラつき幅が小さくなり、パチンコ玉の正確な反発データが得やすくなり、パチンコ台の新機種開発に寄与できる。
釘(１)の打込み部(13)の長さは、基板(２)の厚みよりも少し短いため、釘(１)を正しい深さに打設すると、釘(１)の打込み部(13)が、完全に基板(２)の肉厚に埋設され、釘(１)の先端や打込み部(13)が基板(２)から臨出することはない。
【００１７】
請求項２の釘(１)は先端に尖り部(16)を有しており、打ち込むべき基板(２)に下孔が開設されていなくても打込みできるから、下孔を開設する多大の手間を省いて、コストの低減を図ることが可能である。
【００１８】
請求項３のパチンコ釘(１)は、打込み部(13)の各凸条(14)の打込み部(13)先端側の面(10)は、該先端側へ縮径する様なテーパ面に形成されているから、基板(２)への打込み抵抗は小さく、基板(２)への打込みが容易である。
又、パチンコ釘(１)の打込み部(13)の釘頭部側の面(19)は、ストレート軸部(11)と直交する面にほぼ沿っているから、釘(１)の抜け方向の力に対する基板(２)との引っ掛かり力が大きく、釘の抜止めや緩み防止の効果が大である。
【００１９】
請求項４のパチンコパネルは、上記請求項１乃至３の何れかの釘(１)を樹脂基板(２)に打設したものであるから、それらと同様の効果を奏する。
【００２０】
請求項５のパチンコパネル(３)は、透明基板(２)の裏側に薄型画像表示装置(５)のディスプレイ(51)を配備すれば、該ディスプレイ(51)の画像を見ながらパチンコゲームを楽しむことができる。透明基板(２)に釘打ちによる白濁が抑えられているから、画面が見やすい。
【００２１】
請求項６のパチンコ台(４)の効果については、請求５で説明済みである。
【考案を実施するための最良の形態】
【００２２】
図１は、基板(２)に釘(１)を打設したパチンコパネル(３)の一部を示している。
基板(２)は、合成樹脂製、或いは合成樹脂を主体とする材料にて均質に形成され、厚みは７乃至８mm程度である。
実施例の基板(２)は、アクリル樹脂等の透明度高い樹脂繊維を主体として、空隙率が１０乃至７０％となる様に成形され、全体に均質である。
基板(２)の空隙は、基板(２)に釘(１)を打つ付けた際に、基板(２)の膨らみを防止する役割をなす。
上記釘打ち可能な樹脂基板については、前出の特許文献１等で公知であるので、詳細説明は省略する。
【００２３】
釘(１)は、ストレート軸部(11)の一端に頭部(12)、他端に打込み部(13)を夫々ストレート軸部(11)と一体に突設している。
打込み部(13)は、ストレート軸部(11)の軸心の延長上にて隣り合わせに並んだ環状の凸条(14)と、凸条(14)(14)間に形成される環状の凹条(15)及び先端の尖り部(16)とによって構成される。
実施例では夫々３個の凸条(14)と凹条(15)が交互に並んでいる。各凸条(14)は、軸部(11)を無端状に一周した円形であり、螺旋条ではない。
尖り部(16)の円錐角度は４５°程度であり、従来の先端尖りの釘の円錐角度が３２°に比べて、円錐角度大きくなっており、即ち、円錐長さが短くなっている。
尖り部(16)の円錐角度は、５５°〜３５°の範囲で実施可能であり、５５°以上であれば、基板(２)の打設抵抗が大きく成りすぎ、３５°以下であれば、円錐長さが従来の釘と遜色がなくなる。
各凸条(14)の尖り部(16)側の面(10)は、頭部(12)側に傾斜したテーパ面に形成され、各凸条(14)の外径はストレート軸部(11)と同径である。
凸条(14)の釘頭部(12)側の面(19)は、釘軸芯と直交する面にほぼ揃っている。
該打込み部(13)の全長は６乃至８mmであり、前記基板(２)の厚みよりも少し短い。
【００２４】
図２は、上記パチンコパネル(３)を用いたパチンコ台(４)の断面を示している。
透明パチンコパネル(３)の背面に、液晶画像表示装置等の薄型画像表示装置(５)のディスプレイ(51)を対向配備して、キャビネット(６)内に組み込み、キャビネット(６)の前面開口を透明板(７)で塞いでいる。
【００２５】
然して、パチンコ釘(１)は先端に尖り部(16)を有しており、打ち込むべき基板(２)に下孔は不要であるから、下孔を開設する多大の手間を省いて、コストの低減を図ることができる。
又、釘(１)の打込み部(13)の凸条(14)の外径は、ストレート軸部(11)と同径であるから、釘(１)を基板(２)に打設した際に、基板(２)にストレート軸部(11)の一部が打ち込まれても、その軸部(11)と基板(２)との間に隙間は生じない。従って、基板(２)の釘打ち面の美観は保たれる。然も、釘(１)の打込み部(13)の外周に隙間が生じていないため、パチンコ玉が釘(１)に衝突した際の、釘(１)の振動のバラつき幅が小さくなり、パチンコ玉の正確な反発データが得やすくなり、パチンコ台の新機種開発に寄与できる。
【００２６】
又、凸条(14)の尖り部(16)側の面は、頭部(12)側に傾斜したテーパ面に形成されているから、基板(２)への打込み抵抗は小さく、基板(２)への打ち込みが容易である。
釘(１)の打込み部(13)の長さは、基板(２)の厚みよりも少し短いため、釘(１)を正しい深さに打設すると、釘(１)の打込み部(13)が、完全に基板(２)の肉厚に埋設され、釘(１)の先端や打込み部(13)が基板(２)から臨出すことはない。
又、透明基板(２)に釘(１)を打設した際に、基板(２)の打込み部(13)周辺が白濁することを抑えることができた。この理由は、従来の螺旋凸条(17a)による打込み部(13a)よりも、本考案の釘(１)の環状の凸条(14)と凹条(15)による打込み部(13)の方が、樹脂基板(２)に対する打込み摩擦による発熱が少なく、樹脂の溶融が抑えられるからと考えられる。
【００２７】
パチンコパネル(３)は、釘(１)先端の尖り部(16)の円錐角度は、５５〜３５°であり、通常の釘(１)の尖り部(16)の円錐角度である３２°よりも大きい。即ち、尖り部(16)の円錐長さは従来の釘(１)よりも短い。従って、基板(２)の厚みを、尖り部(16)の円錐長さが短い分だけ薄くしても、尖りが基板(２)を貫通することを防止できる。
基板(２)を薄くした分に対応して、基板(２)のコストを低減し、基板(２)を軽量化でき、基板(２)の廃棄コストも低減できる。
【００２８】
パチンコ台は、遊技者が透明基板(２)越しに薄型画像表示装置(５)の画面を見るとき、透明基板(２)に釘打ちによる白濁が抑えられているから、画面が見やすい。
【００２９】
上記釘(１)は、下孔(21)を開設した基板(2a)の該下孔に打設してパチンコパネルを形成できるのは勿論である。
【００３０】
本考案の実施に際し、基板(２)は、パチンコ玉が釘(１)に繰り返し当たっても該釘が緩んだりしないだけの、釘に対する所定の保持力を得ることができれば、厚みが薄い程望ましい。このため、釘(１)の環状凸条(14)と環状凹条(15)は３個に限ることはなく、基板(２)の厚みと、釘に対する保持強度の兼ね合いで、個数を自由に増減できる。
【００３１】
図３は、他の実施例のパチンコ釘(１)を基板(２)に打設した状態を示している。該パチンコ(２)は、上記した図１のパチンコ釘から尖り部(16)を省略したもので、その他は、図１のパチンコ釘(１)と同じである。
釘(１)の先端を尖らせない分だけ基板(２)の厚みを小さくできる利点である。
但し、先端に尖り部の存在しないパチンコ釘を打設する基板(２)には、釘打設用の下孔(21)は不可欠である。
【００３２】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【図面の簡単な説明】
【００３３】
【図１】釘の正面図である。
【図２】パチンコ台の断面図である。
【図３】他の実施例の釘を基板に打設した状態の断面図である。
【図４】従来例の釘と基板の説明図である。
【図５】従来例の釘を基板に打設した状態の断面図である。
【符号の説明】
【００３４】
１  釘
13  打込み部
14  凸条
15  凹条
２  基板
【図１】
0003116027.tif 000003
【図２】
0003116027.tif 000004
【図３】
0003116027.tif 000005
【図４】
0003116027.tif 000006
【図５】
0003116027.tif 000007